(57)【要約】【課題】  同軸ケーブルの外部導体を窓ガラス上部の車体に接続し、かつ受信感度の優れる車両用ガラスアンテナ及び車両用ガラスアンテナを備える車両を提供する。【解決手段】  車両の窓ガラスの表面にアンテナを形成した車両用ガラスアンテナにおいて、アンテナは、窓ガラスに対し横方向に伸びるアンテナ素子と、アンテナ素子の上部に設けられた給電点と、アンテナ素子の窓ガラスの側辺に近い側の端部と給電点を接続する補助素子を備え、補助素子は窓ガラスを車体に取り付けた際の車体と窓ガラスとの境界に沿って形成し、かつ補助素子の長さは、受信する電波の波長をλ、短縮率をｋとすると、２分の１ｋλ以上３分の２ｋλ以下であることを特徴とする車両用ガラスアンテナ及び該車両用ガラスアンテナを備える車両【選択図】      図２
2006270395.tif 000002
【特許請求の範囲】
【請求項１】
車両の窓ガラスの表面にアンテナを形成した車両用ガラスアンテナにおいて、前記アンテナは、前記窓ガラスに対し横方向に伸びるアンテナ素子と、該アンテナ素子の上部に設けられた給電点と、該アンテナ素子の前記窓ガラスの側辺に近い側の端部と前記給電点を接続する補助素子とを備え、該補助素子は、前記窓ガラスを車体に取り付けた際の車体と前記窓ガラスとの境界に沿って形成し、かつ前記補助素子の長さは、受信する電波の波長をλ、短縮率をｋとすると、２分の１ｋλ以上３分の２ｋλ以下であることを特徴とする車両用ガラスアンテナ。
【請求項２】
前記境界と前記補助素子の間の距離は、５ｍｍ以上３０ｍｍ以下であり、前記補助素子は前記境界よりもガラスの中央側に配置していることを特徴とする請求項１記載の車両用ガラスアンテナ。
【請求項３】
前記アンテナは、更に同軸ケーブルを備え、該同軸ケーブルの中心導体は前記給電点に接続していることを特徴とする請求項１又は２記載の車両用ガラスアンテナ。
【請求項４】
車体と、請求項３記載の車両用ガラスアンテナを備え、中心導体が給電点に接続された同軸ケーブルの外部導体は、前記車両用ガラスアンテナの上部の前記車体に接続していることを特徴とする車両用ガラスアンテナを備える車両。
【発明の詳細な説明】
【技術分野】
【０００１】
本発明は、車両用ガラスアンテナ及び車両用ガラスアンテナを備える車両に関し、特にＦＭ波、デジタルＴＶ波、アナログＴＶ波等の高周波の受信に適する車両用ガラスアンテナ及び車両用ガラスアンテナを備える車両に関する。
【背景技術】
【０００２】
従来よりＦＭ、ＴＶ等の電波を受信する車両用ガラスアンテナとして、車両用窓ガラスに対し横方向に伸びる直線状のアンテナ素子を形成し、そのアンテナ素子に同軸ケーブルの中心導体を接続し、車体開口部に同軸ケーブルの外部導体を接続するアンテナが知られている。（例えば、特許文献１参照。）
【特許文献１】特開平０８−３３０８３３号公報
【発明の開示】
【発明が解決しようとする課題】
【０００３】
しかし、上述した特許文献１に開示されたガラスアンテナの内、図９のように窓ガラス５１の上部周縁部近傍の車体ルーフに同軸ケーブルの外部導体５２を接続した場合、ＦＭ及びＴＶ等の高周波帯の受信感度が低く、給電点と受信機との間に受信感度を増幅するための前置増幅器を設けなければならず、生産性が悪いという問題があった。また、図１０のように窓ガラス側部（サイドピラー）に同軸ケーブルの外部導体５２を接続した場合、受信感度は向上するものの、車両によっては車両の組み立ての制約上、外部導体をサイドピラーに接続することが困難であるという問題点があった。具体的にはカーテンエアバッグが装着された車では、車両の天井の内装が乗員の頭部付近まで伸びている。通常窓ガラスの車両への取り付けは、天井の内装を取り付けた後に行うため、車両の天井の内装が乗員の頭部付近まで伸びている車両においては配線が天井の内装に隠れてしまい、従って天井の内装を取り付けた後ではアンテナの配線を行うことが困難になる。また、ピラーにはエアバッグを膨らませるためのインフレーター等、電装品のケーブル等が存在するため、アンテナケーブルのアースを取り付ける穴がアンテナ近傍のピラーに開けられず、同軸ケーブルの線が長くなりアンテナ性能の劣化を招く問題点がある。
【０００４】
そこで本発明の目的として、同軸ケーブルの外部導体を窓ガラス上部の車体に接続し、かつ受信感度の優れる車両用ガラスアンテナ及び車両用ガラスアンテナを備える車両を提供する。
【課題を解決するための手段】
【０００５】
上述の課題を解決するために本発明は、車両の窓ガラスの表面にアンテナを形成した車両用ガラスアンテナにおいて、アンテナは、窓ガラスに対し横方向に伸びるアンテナ素子と、アンテナ素子の上部に設けられた給電点と、アンテナ素子の窓ガラスの側辺に近い側の端部と給電点を接続する補助素子とを備え、補助素子は窓ガラスを車体に取り付けた際の車体と窓ガラスとの境界に沿って形成し、かつ補助素子の長さは、受信する電波の波長をλ、短縮率をｋとすると、２分の１ｋλ以上３分の２ｋλ以下であることを特徴とする車両用ガラスアンテナである。上記窓ガラスを車両に取り付けた場合、補助素子は車体と窓ガラスの境界に沿って形成しているため、補助素子と車体の境界が同軸ケーブルと同等な役割を果たす。ここで補助素子の長さを２分の１ｋλ以上３分の２ｋλ以下とすると、同軸ケーブルを接続した接続点のインピーダンスと、アンテナ素子の窓ガラス側辺に近い側の端部及び窓ガラス側辺部の車体のインピーダンスがほぼ同じとなる。すなわち、同軸ケーブルの中心導体を給電点に接続し、外部導体を、車両用ガラスアンテナを取り付けた車両の、車両用ガラスアンテナ（より好ましくは給電点）上部の車体に取り付けると、インピーダンスの特性的に同軸ケーブルの中心導体をアンテナ素子の窓ガラス側辺に近い側の端部に接続し、同軸ケーブルの外部導体をサイドピラーに接続した場合と同等の構成となり、従来例における図９のアンテナに比べ受信感度を向上することが出来る。また、外部導体を窓ガラスの上部の車体に接続するため、アンテナケーブルのアースをピラーに取り付けることが困難な車両においても配線が可能となる。ここで、補助素子は車体と窓ガラスの境界に沿って形成しているが、本発明において沿っているとは、境界と補助素子との間隔（距離）が一定であるものの他に、境界と補助素子との間隔がその平均間隔に対して例えば３０％程度の間隔差があるものも含むものである。
【０００６】
また、窓ガラスを車体に取り付けた際の車体と窓ガラスとの境界と、補助素子との距離は、５ｍｍ以上３０ｍｍ以下であり、補助素子は境界よりもガラスの中央側（内側）に配置していることが好ましい。補助素子が境界よりもガラスの周辺側（外側）に配置していたり、距離が５ｍｍ未満であると車体と補助素子との間のインピーダンスが下がり、アンテナの感度が低下する可能性がある。また、３０ｍｍより大きくなると境界と補助素子が同軸ケーブルと同等の役割を果たさなくなり感度が低下する可能性がある。
【発明の効果】
【０００７】
本発明の車両用ガラスアンテナは、窓ガラスを車体に取り付けた際の車体と窓ガラスとの境界に沿って形成され、かつアンテナ素子と給電点を接続する補助素子を備えることにより、給電点が窓ガラスの上部にあり、かつ窓ガラス上部の車体に接続しても良好な感度が得られる。また、本発明の車両は、上述した本発明の車両用ガラスアンテナを備えるので、配線がしやすく良好な感度のアンテナを備えることが出来る。
【発明を実施するための最良の形態】
【０００８】
以下、図面を参照しながら本発明について説明する。
【０００９】
図１は本発明の車両用ガラスアンテナの全体図、図２は本発明の車両用ガラスアンテナの、アンテナが形成された上部右側の図である。以下車両用ガラスアンテナを表す図は、車両に取り付けた際に車内側となるガラスの面側から見た図として表し、右側、左側なる言葉も車内側となるガラス面側から見た場合の場所として表す。図１及び図２においてアンテナ１、は窓ガラス２の車内面側の表面で、右上付近に形成している。形成方法としては、例えば銀などの導電性材料を含有するペーストを用い、スクリーン印刷法等によりガラス表面にプリントし、その後ガラスを加熱することによりペーストを焼結体とする方法などが挙げられる。
【００１０】
図２においてアンテナ１は窓ガラス２に対し横方向に伸びるアンテナ素子３と、アンテナ素子３の上部に設けられた給電点４と、アンテナ素子３の窓ガラスの側辺５に近い側の端部６と給電点４を接続する補助素子７を備える。補助素子７は、窓ガラス２を車体に取り付けた際の車体（図示せず）と窓ガラス２との境界８に沿って形成する。また、補助素子７の長さは、受信する電波の波長（自由空間波長）λに対し、２分の１ｋλ以上３分の２ｋλ以下とする。ここでｋはアンテナを形成したガラスに起因する短縮率を表し、車両用窓ガラスの場合、約０．６である。例えば５００ＭＨｚの信号を受信する場合、自由空間波長は６００ｍｍでありｋλは約３６０ｍｍとなる。
【００１１】
アンテナ素子３は窓ガラス２に対し横方向に伸びるアンテナ素子でありその長さは４分の１ｋλ以上２分の１ｋλ以下が好ましい。４分の１ｋλ未満であると受信感度が低下し、２分の１ｋλより大きいとアンテナ素子の長さが長くなり、視認性上好ましくない。また、アンテナ素子の長さが長くなると他のアンテナを配置する空間が狭くなることからも好ましくない。
【００１２】
アンテナ素子３としては前述したアンテナ１の他に必要に応じて無給電線を形成してもよく、また複数本の横方向の素子を結合してもよい、具体的には図３のようにアンテナ素子３の上下に無給電線１１及び１２を配置したもの、図４のようにアンテナ素子３の下側に無給電線１２を配置したもの、図５のように２本の横方向素子１３及び１４を縦方向素子１５により結合しコ字状としたもの、図６のように２本の横方向素子１６及び１７を縦方向素子１８及び１９により結合しループ状としたもの等が挙げられる。このようにアンテナの形状を適宜調整することにより、アンテナの受信性能及び指向特性等を調整することが出来る。例えば図３及び図４のようにアンテナ素子３の上下又は下側に無給電線を配置すると、水平方向の指向性を強くすることが出来る。図５のようにコ字状とすると横方向に伸びる素子が２本となるため受信感度が向上する。図６のようにループ状とすると実質的にアンテナの幅を広げたことになり広帯域になる。
図３及び図４のように無給電線を配置する場合、アンテナ素子３と無給電線との離間距離ｌ／２は、６０分の１ｋλ〜３０分の１ｋλ、すなわち図３における無給電線１１及び１２の離間距離ｌは３０分の１ｋλ〜１５分の１ｋλとし、無給電線の長さは、４分の１ｋλ〜８分の３ｋλとし、アンテナ素子３と無給電線が窓ガラスの上下方向において重なっている距離ｍは、３２分の１ｋλ〜８分の１ｋλとすることが好ましい。前述の値を設定することにより、良好な特性が得られるアンテナとすることができる。
【００１３】
また、アンテナ素子及び補助素子の幅は０．５ｍｍ以上１ｍｍ以下が好ましい。０．５ｍｍ未満では、アンテナ素子上での抵抗ロスが大きくなり受信感度が低下する可能性がある。また、製造時に断線する可能性が高くなるため好ましくない。また、１ｍｍより大きいと見栄えが悪くなる。
【実施例】
【００１４】
図３のアンテナ、すなわちアンテナ素子３の上下に無給電線１１及び１２を配置したアンテナを用いて、補助素子７の長さと、窓ガラスを車両に取り付けた際の車体と窓ガラスとの境界８と補助素子７との距離ｇがアンテナの受信感度に及ぼす影響を、水平方向より角度３０°で車体に取り付けた車両用窓ガラスにデジタルＴＶ帯域（４７０〜７１０ＭＨｚ）の電波を照射し、それぞれの周波数の感度を測定することで確認した。確認結果を図７に示す。また、用いたアンテナ素子３の長さは０．２５ｋλ、アンテナ素子の幅は０．８ｍｍ、アンテナ素子３に対し平行に設けられた無給電線１１及び１２とアンテナ素子３の離間距離ｌ／２を３０分の１ｋλ、無給電線１１及び１２の長さを０．５ｋλ、アンテナ素子３と無給電線１１及び１２が窓ガラスの上下方向において重なっている距離ｍを０．１ｋλとした。ここでλは５０８ｍｍ（周波数５９０ＭＨｚの波長）とし、ｋは０．６とした。アンテナにて受信した信号は、同軸ケーブルの中心導体を給電点４に接続し、同軸ケーブルの外部導体を給電点上部の車体に接続することで取り出した。
【００１５】
図７において、（ａ）は平均感度、すなわち希望方向、具体的には車両後方で且つ水平方向における周波数４７０〜７１０ＭＨｚ間の感度を周波数ごとに求め、周波数の数で平均をとった平均の感度を表す。（ｂ）は最小感度、すなわち希望方向における周波数４７０〜７１０ＭＨｚ間の感度を周波数ごとに求め、そのうち最小となる感度を表す。（ｃ）は平均ＦＢ比、すなわち希望方向（Ｆ）と希望方向とは逆の方向（Ｂ）のそれぞれの感度の比（ＦＢ比）を周波数４７０〜７１０ＭＨｚ間の周波数ごとに求め、周波数の数で平均をとった平均のＦＢ比を表す。（ｄ）は最小ＦＢ比、すなわち希望方向と希望方向とは逆の方向のそれぞれの感度の比（ＦＢ比）を周波数４７０〜７１０ＭＨｚ間の周波数ごとに求め、そのうち最小となるＦＢ比を表す。ここで、平均感度は図８のように補助素子を設けず外部導体を窓ガラス側部の車体に接続したアンテナを基準アンテナとした。また、図７の（ａ）〜（ｄ）において補助素子の長さを表す値は、ｋを省略した値として記した。なお、アンテナ素子、無給電線及びアンテナ素子と無給電線との関係は、図３のアンテナと同じである。
【００１６】
図７（ａ）及び（ｂ）より明らかなように距離ｇが１５から３０ｍｍでかつ補助素子の長さが２分の１ｋλから３分の２ｋλの範囲において、平均感度が高く、基準アンテナと比べて差が−１ｄＢ以内であった。また、最小感度については、０．８から１．２ｄＢ基準アンテナに比べ高い値であった。また、図７（ｃ）及び（ｄ）より明らかなように距離ｇが５から１０ｍｍでかつ補助素子の長さが３分の１ｋλからｋλの範囲において、ＦＢ比が−２ｄＢ以内であり良好であった。また、最小ＦＢ比も−２．１ｄＢ以内であり良好であった。感度の結果及びＦＢ比の結果より距離ｇが５から３０ｍｍでかつ補助素子の長さが２分の１ｋλから３分の２ｋλの範囲において良好であることがわかる。
【００１７】
以上の結果より、本発明の車両用ガラスアンテナ及び車両では外部導体を窓ガラス側部に接続した場合と略同等の性能があることがわかる。また、本発明の車両用ガラスアンテナは、外部導体を窓ガラス上部の車体に接続するため窓ガラス側部の車体に外部導体を接続不可能な車両にも適用することができる。
【００１８】
また、本発明の車両は、本発明の車両用ガラスアンテナを備えることにより、生産が容易で且つ受信感度が良好なアンテナを備えることができる。
【００１９】
本発明の最良の形態では、アンテナを後部窓ガラスの右側に設けた例にて説明したが、これに限らず、後部窓ガラスの左側に設けても良いし車両の前面窓ガラスに設けてもよい。また、複数のアンテナを設けて、例えばダイバーシティアンテナとしてもよい。
【００２０】
また、本発明の他の実施形態として、窓ガラスの周縁部であって車体と窓ガラスが重なる領域に導電性被膜を設け、導電性被膜の窓ガラス中央よりの端部が、窓ガラスと車体との境界よりも窓ガラスの中央よりとなるようにし、かつ補助素子を導電性被膜の窓ガラス中央よりの端部に沿って形成してもよい。このような形態とすることにより車体と容量結合する導電性被膜と補助素子とが同軸ケーブルと同等の働きをするため、前述した効果を得ることができる。
【００２１】
補助素子を窓ガラスと車体との境界に沿って形成する場合、窓ガラスと車体との組み付け精度のばらつきにより、境界と補助素子との間の距離にばらつきが発生しやすくなるが、導電性被膜に沿って補助素子を形成する場合、導電性被膜と補助素子との距離は窓ガラスと車体との組み付けの影響を受けないため、より性能が安定したガラスアンテナとすることができる。
【図面の簡単な説明】
【００２２】
【図１】本発明の車両用ガラスアンテナの全体図である。
【図２】本発明の車両用ガラスアンテナの、アンテナが形成された上部右側の図である。
【図３】本発明の車両用ガラスアンテナの、２本の無給電線を備えるアンテナが形成された上部右側の図である。
【図４】本発明の車両用ガラスアンテナの、１本の無給電線を備えるアンテナが形成された上部右側の図である。
【図５】本発明の車両用ガラスアンテナの、コ字状のアンテナ素子を備えるアンテナが形成された上部右側の図である。
【図６】本発明の車両用ガラスアンテナの、ループ状のアンテナ素子を備えるアンテナが形成された上部右側の図である。
【図７】本発明の車両用ガラスアンテナの特性を表す図である。
【図８】本発明のガラスアンテナの特性を比較するための基準アンテナを示す図である。
【図９】従来例を示す図である。
【図１０】その他の従来例を示す図である。
【符号の説明】
【００２３】
１  アンテナ
２  窓ガラス
３  アンテナ素子
４  給電点
５  窓ガラスの側辺
６  端部
７  補助素子
８  境界
１１，１２  無給電線
１３，１４  横方向素子
１５  縦方向素子
１６，１７  横方向素子
１８，１９  縦方向素子
５１  窓ガラス
５２  外部導体
【図１】
2006270395.tif 000003
【図２】
2006270395.tif 000004
【図３】
2006270395.tif 000005
【図４】
2006270395.tif 000006
【図５】
2006270395.tif 000007
【図６】
2006270395.tif 000008
【図７】
2006270395.tif 000009
【図８】
2006270395.tif 000010
【図９】
2006270395.tif 000011
【図１０】
2006270395.tif 000012